(57)【要約】      （修正有）【課題】化学製品を収容及び分注するためのデバイスを提供する。【解決手段】デバイス１２は、第２の部分に結合される第１の部分を含んでもよい。平衡するロック特徴部は、第１の部分及び第２の部分を固定してもよい。支持部材は、下側部分１８内に配置され、製品を支持するように適合される。デバイスは、剛性本体及び製品に合わせて作られ、かつそれらを包囲する可撓性エンクロージャを含んでもよい。可撓性エンクロージャは、ハウジングの一部分及び製品を包囲してもよく、その後、可撓性エンクロージャを収縮させるために熱が加えられる。ハンドルは、固体化学分注システムへのデバイスの設置及び／またはデバイスの取り外しを容易にするために提供されてもよい。【選択図】図１
2020097451.tif 000002
【特許請求の範囲】
【請求項１】
固体化学製品を収容し、かつ前記化学製品を容器から分注するためのデバイスであって、前記デバイスは：
第１の外周の第１の部分を含む側壁を備える第１の部分と；
前記上側部分に結合されている第２の部分であって、前記下側部分は第１の外周を有する第１の部分を有する側壁を備える、第２の部分と；
前記第１及び／または第２の部分内に位置付けられ、かつ前記固体化学製品を支持するように適合されている、支持部材と、を備え、
前記容器内に少なくとも部分的に位置付けられる、デバイス。
【請求項２】
前記第１の部分及び第２の部分のうちの一方または両方は、前記デバイスの軸に向かって内向きに延在し、かつ開口部で終わる傾斜面を含む、請求項１に記載のデバイス。
【請求項３】
前記第１の部分は、上側部分であり、前記第２の部分は、前記傾斜面を有する下側部分であり、前記デバイスは：
前記下側部分に関連付けられている一つ又は複数のロック突起部と；
前記上側部分に関連付けられている一つ又は複数のロックタブであって、前記一つ又は複数のロックタブの各々は、前記一つ又は複数のロック突起部のうちの１つに結合して前記上側部分を前記下側部分に固定するように適合されている、ロックタブと、をさらに備える、請求項２に記載のデバイス。
【請求項４】
前記下側部分の前記傾斜面に結合され、かつそこから上方に延在する複数の柱受けと；
前記スクリーンに結合され、かつそこから下方に延在する複数の柱であって、前記複数の柱の各々は、前記複数の柱受けのうちの１つの中に着座するように構成される、複数の柱と、をさらに備える、請求項２または３に記載のデバイス。
【請求項５】
前記下側部分内に少なくとも部分的に内向きに延在する複数のクラッシュリブをさらに備え、
前記複数のクラッシュリブ及び前記スクリーンは、摩擦嵌合される、請求項１〜４のいずれか一項に記載のデバイス。
【請求項６】
前記下側部分の前記側壁の前記第１の外周から内向きに延在し、かつ前記スクリーンと締まりばめを生じるように適合されている、リップをさらに備える、請求項１〜５のいずれか一項に記載のデバイス。
【請求項７】
前記上側部分の上面に結合されているハンドルと；
前記下側部分の前記開口部に取り外し可能に結合されているキャップと、をさらに備える、請求項１〜６のいずれか一項に記載のデバイス。
【請求項８】
前記上側部分の前記側壁は、円筒であり、前記下側部分の前記側壁は、円筒であり、さらに、前記傾斜面は、円錐台である、請求項１〜７のいずれか一項に記載のデバイス。
【請求項９】
前記下側部分の前記開口部に取り外し可能に結合されたフィルムをさらに備え、前記フィルムは接着剤を有する、請求項１〜８のいずれか一項に記載のデバイス。
【請求項１０】
製品を収容及び分注するためのデバイスであって、前記デバイスは：
（ａ）外周を有し、かつ前記製品を受けるように適合されている上側開口部、
（ｂ）前記外周前記上側開口部よりも小さい外周を有する下側開口部、及び
（ｃ）前記上側開口部から前記下側開口部に延在する傾斜面、を備える本体と；
前記本体内に配置され、かつ前記製品を支持するように適合されているスクリーンと；
前記本体及び前記製品に合わせて作られ、かつそれらを実質的に包囲する可撓性エンクロージャと、を備える、デバイス。
【請求項１１】
前記本体は、前記本体の前記下側開口部から外向きに延在する管状部材であって、末端開口部を有する、管状部材をさらに備え、
前記可撓性エンクロージャは、前記下側開口部と前記末端開口部との間で終わる、請求項１０に記載のデバイス。
【請求項１２】
前記本体は、前記管状部材に結合されているらせんワイヤを含む、請求項１０または１１に記載のデバイス。
【請求項１３】
前記可撓性エンクロージャは、
前記本体及び前記製品の側面に合わせて作られている第１の部分と、
前記第１の部分から上方に延在する第２の部分であって、末端が封止された一つ又は複数の端部を有する、第２の部分と、をさらに備え、
前記第２の部分は、前記可撓性エンクロージャの中空領域を備える、請求項１０〜１２のいずれか一項に記載のデバイス。
【請求項１４】
前記可撓性エンクロージャの前記第２の部分に関連付けられているハンドルをさらに備える、請求項１３に記載のデバイス。
【請求項１５】
前記可撓性エンクロージャは、熱の影響下で収縮性であるポリマーから構築される、請求項１０〜１３のいずれか一項に記載のデバイス。
【請求項１６】
前記本体の前記末端開口部に取り外し可能に結合されたフィルムをさらに備え、前記フィルムは接着剤を有する、請求項１１に記載のデバイス。
【請求項１７】
溶解可能な化学製品を収容し、かつ前記化学製品を分注するための方法であって、前記方法は：
ハウジング、前記ハウジング内のスクリーン、及び前記ハウジング内の末端開口部を有する容器を提供するステップと；
前記製品を前記スクリーン上に設置するステップと；
前記容器を液体分注システム内に載置するステップであって、前記末端開口部は、前記液体分注システムの噴霧ノズルに近接する、ステップと；
前記溶解可能な化学製品に対して液体を噴霧するステップと；
前記容器から前記液体分注システムに化学溶液を分注するステップと、を含む、方法。
【請求項１８】
第１の組のロック特徴部を前記ハウジング上に提供するステップと；
対応する第２の組のロック特徴部を前記円筒状ハウジング上に提供するステップと；
前記第１の組のロック特徴部及び対応する前記第２の組のロック特徴部を係合させるステップと、をさらに含む、請求項１７に記載の方法。
【請求項１９】
前記容器は、前記溶解可能な化学製品及び前記容器の少なくとも一部分を包囲する可撓性エンクロージャをさらに備える、請求項１７または１８に記載の方法。
【請求項２０】
可撓性エンクロージャを提供するステップと；
前記ハウジングの一部分及び前記製品を、前記可撓性エンクロージャで包囲するステップと；
前記可撓性エンクロージャを加熱するステップと；
前記可撓性エンクロージャを収縮させるステップと、をさらに含む、請求項１７〜１９のいずれか一項に記載の方法。
【請求項２１】
固体化学製品を収容し、かつ前記化学製品を容器から分注するためのデバイスであって、前記デバイスは：
側壁と、フランジとを含む第１の部分であって、前記フランジは、前記第１の部分の外周の周りの少なくとも一部で前記側壁から横方向に延在する、第１の部分と；
側壁と、フランジとを含む第２の部分であって、前記フランジは、前記第２の部分の外周の周りの少なくとも一部で前記側壁から横方向に延在する、第２の部分と、を備え、
前記第１の部分及び第２の部分の前記フランジは、前記フランジの少なくとも一部分の長さの周りで他方に結合され、かつ前記製品の分注のための穴を形成し、
前記固体化学製品は、第１の部分及び第２の部分内で支持部材によって支持され、
前記デバイスは、少なくとも部分的に前記容器内に位置付けられる、デバイス。
【請求項２２】
前記フランジは、他方に封止されている、請求項２１に記載のデバイス。
【請求項２３】
前記フランジは、互いに熱封止または溶接されている、請求項２２に記載のデバイス。
【請求項２４】
前記第１の部分及び第２の部分は、長手方向に分割された対称的な半分部分である、請求項２１に記載のデバイス。
【請求項２５】
前記第１の部分及び第２の部分の各々は、円錐状部分と、前記円錐状部分の端部から延在する傾斜部分とを含む、請求項２４に記載のデバイス。
【請求項２６】
前記第１の部分及び第２の部分の各々の前記フランジは、前記傾斜部分の前記端部の半円部分を除いて、前記部分の周囲全体に延在し、各部分の前記半円は、同じ位置で組み合わせられて分注穴を形成する、請求項２５に記載のデバイス。
【請求項２７】
固体化学製品を収容し、かつ前記化学製品を容器から分注するためのデバイスであって、前記デバイスは：
第１の外周の第１の部分を含む側壁を備える第１の部分と；
前記上側部分に結合されている第２の部分であって、第１の外周を有する第１の部分を有する側壁を備え、前記第２の部分と一体化されているスクリーンを含む、第２の部分と、を備え、
前記デバイスは、少なくとも部分的に前記容器内に位置付けられる、デバイス。
【請求項２８】
前記第２の部分の前記スクリーンは、複数の穴を備える、請求項２７に記載のデバイス。
【請求項２９】
前記スクリーン穴のサイズ及び／または形状は、そこを通過する液体の量を調節するように変更される、請求項２８に記載のデバイス。
【請求項３０】
前記第２の部分は、前記スクリーンに略垂直に延在する環状リムを備える、請求項２７または２８に記載のデバイス。
【請求項３１】
前記環状リムは、前記デバイスの前記第１の部分の一部分に取り付けるための内部表面を含む、請求項３０に記載のデバイス。
【請求項３２】
前記リムの前記内部表面は、ネジ山を備える、請求項３１に記載のデバイス。
【請求項３３】
前記リムの前記内部表面は、前記第１の部分に結合するためのスナップビードを備える、請求項３１に記載のデバイス。
【請求項３４】
前記リムの前記内部表面は、前記第１の部分と第２の部分との間の結合を封止するための一つ又は複数の封止リングを備える、請求項３１に記載のデバイス。
【請求項３５】
前記リムの前記内部表面は、前記第１の部分と第２の部分との間の結合を封止するための一つ又は複数のガスケットを備える、請求項３１に記載のデバイス。
【請求項３６】
前記第２の部分は、前記環状リムとは略反対方向に前記スクリーンから離れて延在する環状リブを備える、請求項３０に記載のデバイス。
【請求項３７】
前記環状リブの高さは、流体源と前記スクリーンとの間の距離を変化させる、請求項３６に記載のデバイス。
【請求項３８】
前記環状リブは、フレア状部分を備える、請求項３６に記載のデバイス。
【請求項３９】
前記スクリーンを覆うための、前記第２の部分に動作可能に取り付けられているカバーをさらに備える、請求項３８に記載のデバイス。
【請求項４０】
前記カバーは、前記環状リブに動作可能に取り付けられているダストカバーを備える、請求項３９に記載のデバイス。
【請求項４１】
前記カバーは、前記フレア状部分に結合するための、前記環状リブの前記フレア状部分より少なくとも部分的に小さい直径の環状リブを含む、請求項４０に記載のデバイス。
【請求項４２】
前記カバーは、前記第２の部分に封止可能に結合される、請求項３９に記載のデバイス。
【請求項４３】
前記封止可能な結合は、
ａ．熱封止、
ｂ．接着剤、または
ｃ．溶接を含む、請求項４２に記載のデバイス。
【請求項４４】
溶解可能な化学製品を収容し、かつ前記化学製品を分注するための方法であって、前記方法は：
ハウジング、前記ハウジング内のスクリーン、及び前記ハウジング内の末端開口部を有する容器を提供するステップと；
前記製品を前記容器内に設置するステップと；
前記溶解可能な化学製品に対して液体を噴霧するステップと；
前記容器から前記液体分注システムに化学溶液を分注するステップと、を含み、
前記スクリーンは、穴の数、サイズ、または形状の変化のうちの少なくとも１つを含む構成を有し、前記変化は、前記スクリーンを通過する前記液体と前記化学製品との相互作用に基づいて所望の化学溶液を得るように選択される、方法。
【請求項４５】
実質的に示され、かつ説明されている、収容デバイス、システム、方法、及び／または装置。
【発明の詳細な説明】
【技術分野】
【０００１】
関連出願の相互参照
本出願は、２０１５年４月１６日に出願された仮出願第６２／１４８，４６３号及び２０１６年４月１日に出願された第６２／３１６，６６８号の優先権を３５Ｕ．Ｓ．Ｃ．§１１９の下で主張するものとし、該仮出願は参照によりその全てが本明細書に組み込まれる。
【０００２】
本開示は、概して、固体化学薬剤の収容及び分注に関する。より具体的には、限定的ではないが、本開示は、洗浄工程で使用するための固体化学製品を安全に導入するためのデバイス及び方法に関する。
【背景技術】
【０００３】
ほとんどの洗浄工程は、石鹸、洗剤、ならびに他の化学薬剤及び化学材料等の何らかの形の洗浄製品を使用する。洗浄製品は、固体、液体、粉末、噴霧、顆粒、及びその同等物を含む様々な形式で製造される。固体製品は、様々な理由により、液体、粉末、及び／または噴霧よりも有益であり得る。例えば、固体製品は、識別及び／または使用のために着色され得、固体製品は、特定の用途に適合するようにだけ成形され得る。固形製品の色彩コーティング及び／または成形は、適切な製品が対応する使用に確実に使用されることに役立つ。例えば、固体製品は、ペレットまたは押出個体ブロックであり得る。
【０００４】
固体化学製品を利用する洗浄システムにおいて、固体化学製品は、噴霧ノズルから噴霧される液体を使用して溶解され得る。噴霧ノズルは、典型的には、化学製品の下に位置し、化学製品の下側に液体を噴霧する。噴霧ノズルは、さらなる溶解のために化学製品の下側全体に接触するように、十分に広角度の水の噴出を生成するように構成されてもよい。十分に進展させるために角度の付いた水の噴出を可能にするためには、製品を噴霧ノズルから特定の距離で保持することが望ましい。そうすることによって、化学製品の有効期間中に一定の濃度レベル及び分注速度が維持される。
【０００５】
固体化学製品は、しばしばスクリーンまたはメッシュ状のデバイスの上に存在し、そこを通って水の噴射が通過する。しかしながら、ほとんどの洗浄システムのスクリーンは、洗浄システムユニットに搭載されるか、または一体型である。時間が経過すると、スクリーンは、部分的または完全に詰まる場合があり、洗浄システム全体の有効性を著しく低下させる。このような事例では、ユーザは、化学製品をスクリーンから除去する必要があり、そうすることで、有害な人との相互作用の機会が与えられ得る。同様に、固体化学製品が完全に溶解されず、ユーザが固体化学製品を（例えば、新しい種類または新しい化学式の固体化学製品と）交換したい場合、ユーザは、残りの化学ブロックを手動で除去するか、及び／または新しい化学ブロックを古い化学ブロックの上に設置しなければならない。前者よって、有害な人との相互作用のさらに別の機会が与えられる。後者によって、不均一な溶解によりシステムの効率が低下し、化学洗浄薬剤の望ましくない混合がもたらされる可能性がある。
【０００６】
ゆえに、当技術分野において、固体化学製品と噴霧ノズルとの間の特定の距離を維持する一方で、固体化学製品の設置及び／または交換の容易さ及び安全性を提供するデバイス及び方法の改善の必要性がある。
【発明の概要】
【発明が解決しようとする課題】
【０００７】
ゆえに、当技術分野における欠陥を改善または克服することが、本開示の主な目的、特長、及び／または利点である。
【０００８】
洗浄工程において化学製品へのユーザ露出を軽減するデバイス及び方法を提供することが、本開示の別の目的、特長、及び／または利点である。
【０００９】
固体化学分注システムにおいて、固体化学製品と噴霧ノズルとの間の特定の距離を維持するデバイスを提供することが、本開示のさらに別の目的、特長、及び／または利点である。
【００１０】
製造、設置、及び交換するのに容易及び安価であるデバイスを提供することが、本開示のまたさらに別の目的、特長、及び／または利点である。
【００１１】
所望の溶液濃度を効率的に入手及び維持するように構成され得る装置を提供することが、本開示のさらなる目的、特長、及び／または利点である。
【００１２】
分注システムに製品を迅速かつ安全に装填し得る製品を含むデバイスまたは装置を提供することが、本開示のまたさらなる目的、特長、及び／または利点である。
【００１３】
本開示のこれらの及び／または他の目的、特長、及び／または利点は、当業者には明白である。本開示は、これらの目的、特長、及び／もしくは利点に限定されず、またはこれらによって限定されない。単一の実施形態が、あらゆる目的、特長、または利点を提供する必要はない。
【図面の簡単な説明】
【００１４】
本開示の図示される実施形態について、参照により本明細書に組み込まれる添付の図面を参照して以下に詳細に説明する。
【００１５】
【図１】例証的実施形態に従う固体化学製品のための分注システムの正面斜視図である。
【図２】例証的実施形態に従う固体化学製品のための分注システムの正面斜視図である。
【図３】例証的実施形態に従う製品を収容及び分注するためのデバイスの分解図である。
【図４Ａ】例証的実施形態に従う製品を収容及び分注するためのデバイスの下側部分の上面図である。
【図４Ｂ】例証的実施形態に従う製品を収容及び分注するためのデバイスの上側部分の底面図である。
【図５】例証的実施形態に従う製品を収容及び分注するためのデバイスの下側部分の分解図である。
【図６】例証的実施形態に従う製品を収容及び分注するためのデバイスの下側部分の正面部分断面図である。
【図７】切断線７−７に沿った図５の下側部分の断面図である。
【図８】例証的実施形態に従う製品を収容及び分注するためのデバイスの正面斜視図である。
【図９】例証的実施形態に従う製品を収容及び分注するためのデバイスの正面斜視図である。
【図１０】例証的実施形態に従う製品を収容及び分注するためのデバイスを組み立てるフローチャートである。
【図１１】例証的実施形態に従う製品を収容及び分注するためのデバイスを組み立てるフローチャートである。
【図１２】例証的実施形態に従う製品を収容及び分注するためのデバイスの一部分の斜視図である。
【図１３】例証的実施形態に従う製品を収容及び分注するためのデバイスの一部分の正面平面図である。
【図１４Ａ】図１２及び図１３に関連して図示及び説明されるデバイスの変形例の写真である。
【図１４Ｂ】図１２及び図１３に関連して図示及び説明されるデバイスの変形例の写真である。
【図１５】例証的実施形態に従う製品を収容及び分注するためのデバイスの別の変形例の図である。
【図１６】本開示の態様に従う一体型下側部材及びスクリーンの斜視図である。
【図１７】図１６の下側部材及びスクリーンの上面図である。
【図１８】下側部材及びスクリーンの底面図である。
【図１９】下側部材及びスクリーンの側立面図である。
【図２０】下側部材及びスクリーンの断面図である。
【図２１】図２０の断面図の拡大部分の図である。
【００１６】
同様の参照番号がいくつかの図面で同様の部分を表す図面を参照して、本開示の種々の実施形態について詳細に説明する。種々の実施形態の参照によって、本開示の範囲を限定しない。本明細書で示される図面は、本開示に従う種々の実施形態への限定ではなく、本開示の例示的な説明のために提示される。
【発明を実施するための形態】
【００１７】
特に難しい工業用洗浄用途について、腐食性材料（例えば、苛性ソーダ、水酸化ナトリウム、苛性カリ、または水酸化カリウム）は、いくつかの利点を提供する。水と混合させて加熱するとき、腐食性製品は、しばしばステンレス鋼、ガラス耐熱皿、オーブン、部品洗浄機、プロセス機器、排水溝洗浄機、及びその同等物の強力なディグリーザーとして使用される。苛性溶液は、油、脂肪、及びタンパク質ベースの沈着物を溶解し得る。さらに、溶解された製品を安定させるために、界面活性剤を苛性溶液に添加し、そうすることで再沈着を防止し得る。またさらに、苛性溶液は、溶媒ベースの洗浄方法に対して環境改善であると考えられる。
【００１８】
多くの利点にも関わらず、腐食性材料は、アルカリ度が高く、かつ腐食性が高い。その材料は、人間の皮膚に対して腐食性であり、有機溶媒との接触時に可燃性である。ゆえに、腐食性材料とのユーザの相互作用を最小限にすることを、または好ましくは排除することが最も重要である。
【００１９】
腐食性製品は、しばしば固体押出ブロックで製造される。ブロックは、洗浄システム内に設置される。１つのこのような洗浄システムが、Ｃｏｐｅｌａｎｄに対する米国特許第４，６９０，３０５号に開示され、該特許は、参照によりその全体が本明細書に組み込まれる。
【００２０】
Ｃｏｐｅｌａｎｄは、取り外し可能な蓋を有する容器に固体化学製品を格納することを開示する。蓋は取り外され、容器はディスペンサの上で反転され、その後、固体ブロックが、洗浄機内に落下する。しかしながら、この方法は、固体化学製品と人との有害な接触の機会を与える。さらに、降下する固体ブロックは、設計されたように容器にとどまらず、調整が必要になり、人との有害な相互作用の可能性をさらに招く場合がある。ゆえに、当技術分野において、使用前後に化学製品に対する不要なユーザ露出の可能性を排除するための、改善されたデバイス及び方法の必要性がある。
【００２１】
図１は、本開示のある実施形態を備えるデバイス１２から固体化学製品を分注するように適合される洗浄システム１０を示す。洗浄システム１０は、上側部分１６及び下側部分１８を有する容器１４を含む。上側部分１６は、図示するように、円筒状であってもよく、またはデバイス１２を格納する任意の適切な形状であってもよい。上側部分は、開口部２０を含み、そこを通ってデバイス１２が設置される。蓋２２は、操作中にシステム１０を包囲するために、協働し得るようにまたは取り外し可能に容器１４の上側部分１６に結合されてもよい。下側部分１８は、円錐状または円錐台であってもよい。その形状によって、デバイス１２と容器１４との間に有利に締まりばめが生成され、また、図２に例証的に示されるように、下側部分１８の底部内で開口部２６内に溶液を排出させることが可能になる。
【００２２】
システム１０は、送水管２８、送水管２８と下側部分１８との間に延在する流入パイプ３０、噴霧ノズル３２、流出スクリーン３４、及び排出チューブ３６をさらに含む。クランプ３８は、排出チューブ３６を容器１４の下側部分１８に固定してもよい。かかり、摩擦嵌合、締まりばめ、ピン止め、ねじ切り、及びその同等物を含む他のクランプ手段が想定される。システム１０の操作について以下に詳細に論じる。
【００２３】
スクリーン３４が噴霧ノズル及び／または固体製品から一定の距離または位置に位置付けられ得ることに留意されたい。これは、ユーザの安全性を提供することに役立つ。また、スクリーン３４は、噴霧に加えて溶解／侵食方法を利用するとき（例えば、湛水）または特定の固体化学式について等、全ての実施形態において必要とされるわけではない。さらに、スクリーン３４は、固体化学製品を支持するためにスクリーンを使用する場合等に、支持部材としても同定され得る。例えば、製品を中に保存した状態でデバイス１２を輸送する間、製品が破損したとしても製品が最終的な位置での使用のためにデバイス内の好適な位置にとどまるために、依然としてスクリーンによって支持されるように、スクリーンは、製品に支持を提供し得る。スクリーンは、一般的な格子模様で示されるが、そこを通過する概して任意の種類の穴を有する他の種類のスクリーンを利用してもよい。スクリーンに加えた支持部材３４の一実施形態は、内蔵リング支持であり得る。リング支持部材は、レッジ、フランジ、ハウジングの一部分、または製品が少なくとも部分的に存在する表面もしくは領域を提供するように実質的に水平に延在するデバイス１２の他の部分であり得る。支持リングのサイズは、スクリーン支持部材３４に関連する開示と同一の利益を提供するように、固体化学製品の構造に応じて変わり得る。さらに、支持部材またはスクリーン３４の位置が、異なる種類の製品、侵食方法、及び他の要因に対応するように変化し得ることを理解されたい。
【００２４】
図３、図４Ａ、及び図４Ｂを参照すると、デバイス１２が図示される。本開示の態様によると、デバイス１２は、上側部分３０及び下側部分４０を含んでもよい。しかしながら、図１２に関連して理解されるように、デバイス１２は、左側部分３０及び右側部分４０も備え得る。ゆえに、部分３０、４０は、概して、第１の部分３０及び第２の部分４０と言及されてもよく、よって、本明細書に含まれるように、その変形例を加えた実施形態のいずれも含む。デバイス１２の部分３０、４０は、デバイス１２の剛性を高めるために突起部及び／または他の強化部分を含み得る。本開示のいくつかの態様によると、デバイスは、ブロ―成形または射出成形であってもよい。このような状況において、デバイス１２は、高密度ポリエチレン（ＨＤＰＥ）を備え得るが、デバイス１２の条件を満たし得る任意の他の材料を利用し得る。例えば、Ｅｑｕｉｓｔａｒ  Ｃｈｅｍｉｃａｌｓ、ＬＰ，１２２１  ＭｃＫｉｎｎｅｙ，Ｓｕｉｔｅ  ７００，Ｐ．Ｏ．Ｂｏｘ  ２５８３，Ｈｏｕｓｔｏｎ，Ｔｅｘａｓ  ７７２５２−２５８３からのＡｌａｔｈｏｎ  Ｌ５８４０は、１つの適切な材料である。しかしながら、他の材料番号及び／または製造業者が材料の条件を満たし得ることを理解されたい。
【００２５】
上側部分３０は、内周４４と外周４６との間で画定される厚さを有する側壁４２を含む。上側部分３０は、側壁４２の内周４４より小さい内周５０を有する内側フランジ４８をさらに含んでもよい。内側フランジ４８は、上側部分３０の側壁４２に合わせて作られる。図示される実施形態では、側壁４２及び内側フランジ４８は、円筒状であってもよいが、本開示は、本開示の目的を逸脱することなく任意の適切な形状を企図する。他の実施形態では、側壁４２及び内側フランジ４８は、四角形、長方形、卵形、楕円形、及びその同等物であってもよい。上面５２は、側壁４２と関連付けられる。上面５２は、製造中に側壁４２に一体化して形成されてもよく、または製造後に結合されてもよい。ハンドル５４は、上面５２に関連付けられてもよい。ハンドル５４は、図３に例証的に示されるように、空洞に延在する上面５２の一部分、またはユーザが操作するように適合された隆起部材（図示せず）を備えてもよい。
【００２６】
下側部分４０も、内周５８と外周６０との間で画定される厚さを有する側壁５６を含んでもよい。下側部分４０は、側壁５６の外周６０より大きい外周６５を有する外向きに間隔をとったフランジ６２をさらに含んでもよい。外側フランジ６２は、下側部分４０の側壁５６に合わせて作られる。外側フランジ６２は、上側部分３０の内側フランジ４８に摺動可能に係合するように適合される。図示される実施形態では、外側フランジ６２は、円筒状であってもよいが、本開示は、本開示の目的を逸脱することなく任意の適切な形状を企図する。他の実施形態では、側壁５６及び外側フランジ６２は、四角形、長方形、卵形、楕円形、及びその同等物であってもよい。下側部分４０は、図３において例証的に示されるように、円筒状部分６６及び円錐状部分６８を有してもよく、または代替として円錐台であってもよい。円錐部分６８の傾斜面７０は、下側部分４０の底部において下側開口部６４に化学溶液を誘導するように設計される。下側開口部６４から外向きに延在するものは、末端開口部７４を有する管状部分７２であってもよい。管状部分７２は、図５に例証的に示されるように、接着剤８０及び／またはキャップ８２を有するフィットメント（図示せず）またはフィルム７８を格納するように適合されてもよい。
【００２７】
スクリーン３４は、開示されたように、概してデバイス１２内に位置付けられるように示される。スクリーン３４は、固体製品を支持するための随意の取り付け具であり、使用時に小さなタブによって保持され得る。
【００２８】
フィットメントは、洗浄システム１０の噴霧ノズル３２と相互作用するように適合されてもよい。フィットメントは、代替として、他の工業用洗浄システムと相互作用するように適合されてもよい。フィットメントは、中央開口部及び通気手段を備えてもよい。フィットメントのフランジは、管状部分７２との締まりばめを生成してもよい。
【００２９】
図５を参照すると、フィルム７８は、管状部分７２の末端開口部７４に合わせて作られてもよい。接着剤８０は、フィルム７８を管状部分７２に一時的に固定するが、ユーザによって取り外し可能であるように設計される。いくつかの態様によると、フィルム８０は、システム１０への設置時に穿刺手段によって穿刺されるように適合される。キャップ８２は、フィットメントもしくはフィルム７８に加えて、またはその代わりに設置されてもよい。キャップは、管状部分７２にネジ山で係合されてもよく、または当技術分野で周知の他の手段によって結合されてもよい。
【００３０】
上側部分３０及び／または下側部分４０は、システム１０で典型的に使用される化学製品、より具体的には、固体化学製品に耐性のある剛性または半剛性の材料から構成されてもよい。例えば、デバイス１２は、ポリオレフィン（例えば、高密度ポリエチレン（ＨＤＰＥ）、低密度ポリエチレン（ＬＤＰＥ）、ポリプロピレン（ＰＰ））、ポリ塩化ビニル（ＰＶＣ）、及びフルオロポリマー（例えば、ポリエチレンテレフタレート（ＰＥＴＥ）、フッ素化エチレンプロピレン（ＦＥＰ）、ペルフルオロアルコキシ（ＰＦＡ）、ポリビニリデンフルオライド（ＰＶＤＦ）、エチレンテトラフルオロエチレン（ＥＴＦＥ）等）等のプラスチックから構築されてもよい。種々の化学製品と使用する条件を満たすさらに他の材料が、本開示の部分３０、４０に含まれ得ることが企図され、本開示は、開示されたものに限定される必要はない。さらに、前に開示したように、デバイス１２は、ブロ―成形、射出成形、または開示された材料を利用する概して任意の他の方法から形成され得る。
【００３１】
上側部分３０及び下側部分４０を固定するために、上側部分３０の内側フランジ４８は、下側部分４０の外側フランジ６２に摺動可能に係合するようなサイズ及び／または形状を有する。例示的実施形態では、内側フランジ４８及び外側フランジ６２は摩擦嵌合である。上側部分３０は、一つ又は複数のロック突起部９２を含んでもよい。ロック突起部９２は、内側フランジ４８に近接して上側部分３０の側壁４２から外向きに延在してもよい。もう１つのロックタブ９０は、下側部分４０の外側フランジ６２から上方に延在してもよい。ロックタブ９０は、ロック突起部９２をしっかりと係合するように構成される。本開示の追加の態様によると、ロック突起部９２は、下側部分４０から外向きに延在する。またさらに別の実施形態では、結合手段は、図１０に例証的に示されるように、対応する（counterpoising）円筒状スナップロック９３であってもよい。結合手段は、スナップ嵌合機構または当技術分野で周知の任意の他の結合手段であってもよい。例えば、結合手段は、空洞、ピン、クランプ、及びその同等物を係合するように構成される戻り止めピンであってもよい。さらに、本開示は、結合手段が一時的または永続的であってもよいこと（つまり、一旦固定されると、結合手段は解放不可能であり、デバイス１２は単回使用のみになる）を企図する。またさらに、内側フランジが外側ネジ切り部材を含み、外側フランジ６２が内側ネジ切り部材を含み、両部分がネジ山で互いに取り付けられるようにすることが企図される。
【００３２】
図５〜７を参照すると、固体化学製品９４は、デバイス１２の下側部分４０に配置される。製品９４の寸法及び／またはデバイス１２の設計に基づいて、製品９４は、上側部分６６内、または上側部分６６と下側部分６８との両方に延在する部分に配置されてもよい。同様に、製品９４は、しばしば、少なくとも部分的にデバイス１２の上側部分３０内に延在する。
【００３３】
噴霧ノズル３２からの化学製品９４の適切で、既定の、及び／または好適な距離を維持するために、スクリーン９６は、図６及び図７において例証的に示されるように、デバイスの下側部分４０内に配置され得る。スクリーン９６の外周は、下側部分４０に合わせて作られる。図示される実施形態では、スクリーン９６は、円筒状であるが、これは、スクリーンが概して任意の幾何学的形状を必要とし得るため、限定されるべきではない。スクリーンは、本明細書において前述した耐食性化学製品から構成されてもよい。例示的実施形態では、スクリーン９６は、傾斜面７０との締まりばめによって下側部分４０内に固定される。別の例示的実施形態では、スクリーン９６は、傾斜面７０の外周の周囲に延在するリップ９８の上に存在してもよい。リップ９８は、代替として、下側部分４０の側壁５６に関連付けられてもよい。さらに別の例示的実施形態では、複数の柱受け１００は、傾斜面７０から上方に延在してもよい。複数の関連付けられた柱１０２は、スクリーン９６と関連付けられてもよい。設置時に、柱１０２は、下側部分４０内でのスクリーン９６の軸方向運動及び回転を防止するために、スクリーン９６に固定するように柱受け１００内に挿入される。柱１０２は、スクリーン９６のフレーム１０６と一体化して形成されてもよく、またはフレーム１０６に結合されてもよい。またさらに別の実施形態では、図６に例証的に示されるように、複数のクラッシュリブ１０４が、デバイスの下側部分４０と関連付けられてもよい。クラッシュリブ１０４は、垂直に配向されてもよく、下側部分４０の傾斜面７０及び／または側壁５６もしくは内周５８から内向きに延在してもよい。スクリーン９６のフレーム１０６及びクラッシュリブ１０４の相対耐性に基づき、スクリーン９６は、摩擦嵌合によって適所に保持される。クラッシュリブ１０４は、一定の深さを有してもよく、または、下側開口部６４の上の所望の高度で摩擦嵌合を生成するように、下側開口部６４に近接してより大きい深さになるテーパ状であってもよい。スクリーン９６は、ピン止め、クランプ、戻り止め構造、及びその同等物を含む当技術分野で周知の任意の他の及び／または追加の手段によって結合されてもよい。デバイス１２の有益な設計によって、デバイス１２内のスクリーン９６の設置、交換、及び／または取り外しが容易になる。
【００３４】
図８及び図９は、本開示の別の例示的実施形態に従うデバイス１２を示す。デバイス１２は、前に示しかつ説明したものと類似する下側部分４０を含んでもよい。具体的には、下側部分４０は、化学製品９４の外周の少なくとも一部分を包含するような適切なサイズ及び形状の内周を有してもよい。さらに、下側部分４０は、傾斜面７０、管状部材７２、及び末端開口部７４を含んでもよい。容器１４内に設置するとき、傾斜面７０は、容器１４の下側部分１８と締まりばめを生成するように設計される。デバイス１２の下側部分４０は、本明細書で前述した剛性または半剛性の材料及び／または耐食性材料から構成されてもよい。スクリーン９６は、本明細書で前述した本開示に一致して、図８に示された例示的実施形態のデバイス１２の下側部分４０に配置される。
【００３５】
代替実施形態では、図９に例証的に示されるように、半剛性または剛性のらせんワイヤ１０８が、デバイス１２の下側部分４０に構造的支持を提供してもよい。らせんワイヤ１０８は、半剛性の下側部分４０と関連付けられてもよく、または可撓性エンクロージャ１１０内に設置され、本明細書で前述した実施形態に類似して、傾斜面７０及び下側開口部６４を提供してもよい。ある実施形態では、らせんワイヤ１０８は、管状部分７２に結合され、その後、可撓性エンクロージャ１１０が、下側部分４０を包囲する。スクリーン９６は、噴霧ノズル３２と化学製品９４との間の適切な距離を確実にするために、らせんワイヤ１０８と相互作用されてもよい。
【００３６】
図８及び図９を参照すると、可撓性エンクロージャ１１０は、管状部材７２の一部分、デバイス１２の下側部分４０、及び／または化学製品９４に合わせて作られてもよい。例示的実施形態では、可撓性エンクロージャ１１０は、熱の影響を受けて収縮するポリマーフィルムであり、ポリオレフィン、ＰＶＣ、ポリエチレン、ポリプロピレン、及びその同等物を含むがこれらに限定されない。熱収縮フィルムは、化学製品９４とユーザとの間に、製造するのに安価かつ容易である障壁を提供する。熱収縮フィルムは、透明であってもよく、ユーザが操作中化学製品９４の残量を確認するのを有利に可能にする。フィルムは、代替として、半透明もしくは不透明であってもよく、ならびに／または設置指示及び／もしくは警告等の情報を含んでもよい。
【００３７】
可撓性エンクロージャ１１０は、一つ又は複数の側面シーム１１２及び／または上側シーム１１４を含んでもよい。実施形態では、可撓性エンクロージャ１１０は、化学製品９４の上に中空部分１１６をもたらす。ハンドル１１８は、上側シーム１１４に近接して、可撓性エンクロージャ１１０と関連付けられてもよい。代替実施形態では、可撓性エンクロージャ１１０は、さらに、図９に例証的に示されるように、化学製品９４の上面に合わせて作られる。ハンドル１１８は、デバイス１２に結合されてもよい。さらに別の実施形態では、可撓性エンクロージャ１１０は、末端開口部７４を含んで、管状部分７２を包囲する。このような実施形態では、末端開口部７４の上に配置された可撓性エンクロージャ１１０の一部分は、設置前に取り除かれるか、または設置中に穿刺される。
【００３８】
図面によって、デバイスが製造可能な追加の方式を開示する。例えば、図８、図９、図１２、図１３、図１４Ａ、図１４Ｂ、または図１５に示すようなデバイス１２は、熱成形を利用して形成され得る。デバイス１２は、長手方向または緯度方向に分割された２つの同一または非対称の半分部分（第１の部分及び第２の部分３０、４０と言及され得る）を備え得る。次いで、これらの部分は、組み合わせるためにフランジ部分等でその外周を封止され得る。封止は、組み合わせられるデバイス１２の部品／ハウジングを組み合わせるために、熱、超音波溶接、または概して任意の他の方法によって行われ得る。図３、図４Ａ、及び図４Ｂに示すような個々の部品は、ブロ―成形または射出成形等によって形成され得る。次いで、部品は、部品を互いに付着させるために、熱かしめまたは溶接（超音波溶接等）によって互いに取り付けられ得る。前述のように、これは、図３に示されるようにハウジングの部品が緯度方向に分割されている状態であるとき、または部品が長手方向に分割されているときに行われ得る。
【００３９】
部品が長手方向に分割される場合、部品は、蝶番型ヒンジ１５０等の共通の結合点を有してもよい。これは、図１５におけるデバイス１２によって示される。次いで、部品３０、４０は、そのヒンジから延在する相互の左右対称になり得る。これは、デバイスハウジングの一種のクラムシェル構成を形成し得る。部品は、ヒンジで折り畳まれ、溶接（超音波または他の方法）、溶解（熱封止）、または両部分が少なくとも部分的にまたは実質的に互いに取り付けられる任意の他の方式等で、その目の前の共通の外周で組み合わせられ得る。さらに、図１５に示すように、半分部分３０、４０は、円錐状部分１３４を形成するだけであってもよく、傾斜部分１３６は、そのフランジ１３３と別々に形成されてもよい。このような状況では、傾斜部分１３６のフランジ１３３は、次いで、第１の部分及び第２の部分３０、４０のフランジ１３２に封止され得る。これにより、デバイス１２のハウジングの種々の構成のうちのいずれかがもたらされる。
【００４０】
例えば、その外周１３２で封止され得るデバイス１２の半分部分は、図１２及び図１３に示される。図面に示されるデバイスの半分部分は、第１の部分３０または第２の部分４０であり得る。図示されるように、デバイス１２は、概して左部分及び右部分で長手方向に分割されるが、緯度方向に同じことが行われてもよく、フランジまたは外周１３２は、両半分部分の上側部分及び下側部分の結合部に位置付けられ得る。第１の部分または第２の部分のうちの１つがヒンジ、ハンドル、スクリーン、製品レッジ、またはその同等物等の追加の要素を含んだ状態で、図１２及び図１３に示す両部分が、同一または対称的であってもよく、またはそれらが非対称であってもよいことにさらに留意されたい。
【００４１】
図１２、図１３、図１４Ａ、及び図１４Ｂに示すように、半分部分１３０は、実質的に垂直または円錐状の部分１３４と、一方の端部から延在する傾斜部分１３６とを含む。反対の端部は、キャップ部分１３８を含む。傾斜部分の端部に、開口部１４０があり、その開口部１４０は、他方の半分部分と組み合わせられるときに、デバイス１２の末端開口部１４２を形成し得る。また、半分部分の外周の周囲にフランジ１３２が含まれるが、末端開口部または分注穴１４２には例外として含まれない。しかしながら、図１４Ａ及び図１４Ｂの実施形態に示されるように、穴１４２も封止して閉鎖され、容器のデバイス及び製品の使用時に開放してもよい。
【００４２】
中に保存される製品で収容を形成するために、製品は、半分部分のうちの１方（例えば、部分３０、４０のうちの１つ）内に位置付けられ、他方の半分部分は、フランジ付きの外周１３２が他方のフランジと接触または近接近するように、接触させられる。例えば、一方の半分部分は、その側面に位置付けられてもよく、製品及びスクリーンまたは他の支持部材は、半分部分に位置付けられ得る。次いで、他方の半分部分は、第１の部分に隣接して位置付けられ得る。次いで、フランジは、両半分部分を互いに溶接（熱または超音波）、熱かしめ、または封止すること等によって、結合される。次いで、デバイスは、最終生成物において使用するために化学反応を生成するように、侵食手段を製品に提供すること等によって、既知のように、容器とともに使用され得る。
【００４３】
本開示の例示的実施形態に従ってデバイス１２を組み立てるための方法が図１０に示される。スクリーン９６は、本明細書で前に開示した手段のいずれか（例えば、締まりばめ、リップ９８、柱１００及び１０２、ならびに／またはクラッシュリブ１０４）に一致して、デバイス１２の下側部分４０内に設置される。化学製品９４は、デバイス１２の上側部分３０内に挿入される。上側部分３０及び下側部分４０は、本明細書で前述した結合手段のいずれか（例えば、摩擦嵌合、タブ９０及び９２、ならびに／またはスナップロック９３）によって接合される。本工程は、両部分を互いに固定する前に、製品を上側部分に載置してからスクリーンまたは他の支持部材を上側部分内に位置付けることによって等、他の方式で行われてもよい。
【００４４】
フィルム８０（及び／またはフィットメント及び／またはキャップ８２）は、末端開口部７４またはデバイス１２に取り付けられる。システム１０への設置準備が整うと、図１０のステップ６で示されるように、フィルム８０（またはキャップ８２）は取り除かれる。システム１０の蓋２２は開放され、容器１４の開口部２０が露出する。デバイス１２は逆さにされ、容器１４内に載置される。化学製品９４は、スクリーン９６上に存在する。
【００４５】
本開示の例示的実施形態に従ってデバイス１２を組み立てるための別の方法が図１１に示される。スクリーン９６は、本明細書で前述した手段のいずれか（例えば、締まりばめ、リップ９８、柱１００及び１０２、ならびに／またはクラッシュリブ１０４）に一致して、デバイスの下側部分４０内に設置される。化学製品９４は、デバイス１２の下側部分４０内に挿入される。下側部分４０及び化学製品９４は、熱収縮フィルム等の可撓性エンクロージャ１１０に包み込まれる。熱１２０が、可撓性エンクロージャ１１０を収縮させるように加えられる。末端開口部７４が露出されたままである場合、フィルム８０（及び／またはフィットメント及び／またはキャップ８２）がデバイス１２に取り付けられてもよい。システム１０への設置準備が整うと、フィルム８０（またはキャップ８２）は取り除かれる。システム１０の蓋２２は、開放され、容器１４の開口部２０が露出する。デバイス１２は逆さにされ、容器１４内に載置される。化学製品９４は、スクリーン９６上に存在する。
【００４６】
本開示の例示的実施形態に従ってデバイス１２を組み立てる代替方法において、らせんワイヤ１０８が、図９に示されるように、管状部材７２に結合され得る。スクリーン９６は、らせんワイヤ１０８に関連付けられる。化学製品９４は、スクリーン９６上に配置される。その結果、熱収縮フィルム等の可撓性エンクロージャ１１０に覆われる。熱１２０が、可撓性エンクロージャ１１０を収縮させるように加えられる。可撓性エンクロージャ１１０は、化学製品９４の両側もしくは化学製品９４の両側及び上面、ならびに／またはらせんワイヤ１０８に合わせて作られるように適合されてもよい。中空部分１１６ならびに／またはシーム１１２及び１１４は、可撓性エンクロージャ１１０と関連付けられてもよい。ハンドル１１８は、可撓性エンクロージャ１１０内に作成されてもよい。末端開口部７４が露出されたままである場合、フィルム８０（及び／またはフィットメント及び／またはキャップ８２）がデバイス１２に取り付けられてもよい。システム１０への設置準備が整うと、フィルム８０（またはキャップ８２）は取り除かれる。システム１０の蓋２２は開放され、容器１４の開口部２０が露出する。デバイス１２は逆さにされ、容器１４内に載置される。化学製品９４は、スクリーン９６上に存在する。
【００４７】
図１及び図２を参照すると、デバイス１２は、システム１０の容器１４内に設置される。操作時、水が、送水管３６及び流入パイプ３０を通って噴霧ノズル３２に供給される。デバイス１２の管状部材７２に近接してまたはその内部に配置される噴霧ノズル３２は、角度の付いた噴出１２２をデバイス１２の下側部分４０内に噴霧する。角度の付いた噴出１２２は、スクリーン９６を通して化学製品９４の下面に接触し、化学製品９４の一部を溶解する。その結果として生じた溶液１２４は、下側部分４０の傾斜面７０に沿って、ならびに／または下側開口部６４及び末端開口部７４を通って、容器１４の下側部分１８まで降下する。溶液１２４は、出口スクリーン３４を通って排出チューブ３６まで降下し、その後、食器洗浄、陶器の洗浄、または他の工業用洗浄工程に合わせて計量される。
【００４８】
本設計により、デバイス１２の設置中及び／または取り外し中に、ユーザの化学製品９４への潜在的な露出を有利に排除または少なくとも緩和する。フィルム８０またはキャップ８２の取り外し後、化学製品９４は、デバイス１２の末端開口部７４から安全な距離を保つ。取り外し中、デバイス１２は、スクリーン９６及び未使用の化学製品９４の容量を含めてまとめて取り外され、その後、新しいデバイス１２が次いで、迅速かつ効率的にシステム１２内に交換される。各デバイスに関連付けられた新しいスクリーン９６は、スクリーン上の化学製品９４の凝集をさらに防止し、噴霧ノズル３２の水の散布及び溶液３４の結果として得る混合液を一定に維持する。
【００４９】
本開示が固体製品を溶解するために噴霧機構とともに使用されることが開示されたが、他の方法が想定されることに留意されたい。例えば、噴霧、湛水、バブリング、浸漬、またはそれらの何らかの組み合わせの使用により本開示を組み込み得るもの等のディスペンサで固体製品を溶解することが既知である。本開示は、固体製品を溶解及び／または侵食するための任意の可能な手段及び方法が、本開示の範囲または意図された趣旨を変更することなく、本開示の実施形態及び／または態様のいずれかとともに利用され得ることを企図する。
【００５０】
例えば、米国特許出願第１３／７７１，３５１号（現在は米国特許第８，９４５，４７６号）；第１４／１８２，３４４号；第１４／１８２，３４６号；及び第１４／１８２，３５３号の全ては、固体製品を溶解及び／または浸蝕するための方法及び手段を含む全て種々のディスペンサを開示する。列挙された出願の各々の内容は、参照によりその全体が本明細書に組み込まれる。
【００５１】
図１６〜図２１は、下側部材または部分４０の追加の態様が、傾斜した形状ではなく、代わりにスクリーン部分２００を組み込むまたはそれと一体型であることを示す。スクリーン２００と一体型である下側部材４０は、前に開示したように、上側部分または部材３０に取り付けられ得る。例えば、図２０及び図２１でよく示されるように、下側部材４０は、内部スクリーン面２０２を含み得る。環状リム２０４がそこから延在する。リム２０４は、スクリーン２００の外縁に延在し得るか、または概して離れて延在する前にそこから半径方向に離間し得る。スクリーン２００の外部面２０３上に、以下に説明するように環状外部リブ２０５が存在し得る。リム２０４の内部に、下側部材４０は、上側部材３０の一部に取り付けるために取り付け部分２０６を含み得る。例えば、リム２０４の内部は、上側部材３０のネジ切り面と相互作用するように、ネジ切り面を含み得る。また、リム２０４の内部は、図２１に示すように、環状ノッチ２０７も含み得、上側部材３０上にスナップ嵌合され得る。またさらに、下側部材４０のリム２０４は、両部材３０、４０の間に摩擦嵌合を提供するように、上側部材３０の領域より少なくとも部分的に大きいサイズであり得る。製品を中に封入または格納するように両部材３０、４０を結合する他の方法は、理解され、本開示の一部と考慮される。加えて、リム２０４は、その中または上に形成される封止リング２０８を含み得、両部材を互いに封止することに役立つようにする。
【００５２】
前述のように、スクリーン２００の外面２０３は、概してリム２０４と反対方向に延在する突出環状リブ２０５を含み得る。リブ２０５は、部材４０の外径に位置付けられ得るか、または外径から内向きに離間され得る。リブ２０５は、スクリーン２００を介するデバイス１２の内部へのアクセスを少なくとも一時的に実質的に閉鎖するために、カバー、蓋、または他の部品を取り付けるために使用され得る。例えば、部品は、デバイス１２の運搬中及び／または保管中にそのスクリーン部分２００を実質的に被覆するように下側部材４０に一時的に装着することができるダストカバー、蓋、または他の部品であり得る。これは、内部の製品との不要な接触からユーザを保護するため等、デバイスのユーザに保護要素を提供するように、中に保存された製品を含むデバイス１２が使用される前の時点のことであり得る。ゆえに、ダストカバーまたは他のカバーが、熱封止、接着、溶接（例えば、超音波または他の方法）、スナップ嵌合、摩擦嵌合、またはその同等物等によって部材４０に装着し得る。例えば、いくつかの態様によると、リブ２０５は、カバーを部材に一時的に装着するためにダストカバーのスナップビードを係合し得る外側テーパ２０９を含み得る。
【００５３】
本明細書に図示及び説明するものと類似する図１６〜図２１に示す下側部材は、ＨＤＰＥまたは他のポリマーを含み得る。
【００５４】
スクリーンを下側部材４０に一体型にすることによって、多数の利点が提供される。例えば、理解されるように、スクリーンを備える穴の構成（サイズ、形状、数、角度等を含むがそれだけに限定されない）は、内部に保存された製品と接触する通過流体量に影響を及ぼし得る。ゆえに、スクリーンの構成を選択することは、流体と接触する製品の量に基づいて、より一定の溶液を提供することに役立ち得る。スクリーンを下側部材４０に一体型にすることによって、溶液により溶解／混合される製品の種類、所望の濃度レベル、流体の変化（温度、流速等）、室内気候の変化（温度、湿度、光量等）、及び得られた濃度に影響を及ぼし得る他の外部要因を含むがこれらに限定されない条件に基づいて、構成を変化させる柔軟性がより高くなる。ゆえに、様々なスクリーン構成を有する異なるカバーは、必要に応じて交換され得る。さらに、製品が、既知の場所、既知の気候、または既知の溶媒で使用される場合、スクリーンは、製品の収容時に選択され得る。デバイス１２全体を交換する必要はなく、代わりに、異なるスクリーンを有する異なる部材４０が交換され得る。
【００５５】
例えば、スクリーン構成を変えることは、デバイス内部に保存された製品と接触する溶媒の量も変え得ることが、研究によって示されている。これは、スクリーンの穴のサイズを変えること、ならびにリブ２０５の高さを変えることを含み、流体源とデバイス１２内の製品との間の距離を変えることができる。
【実施例】
【００５６】
実施例１
約４０００グラムの製品を、様々な構成の一体型スクリーンを有する下側部材を通過する流体と接触させた。スクリーンのサイズには、（１）０．１５インチのリブを有する約１／４インチ開口部のサイズの穴（２）０．０８インチのリブを有する約１／４インチ開口部のサイズの穴、及び（３）０．１５インチのリブを有する１／２インチのスクリーン穴が含まれる。４つ目の実験は、スクリーンを全く使わずに行われた。約４０００グラムの製品を侵食するのに必要な分注の回数を決定するために、製品を一定量の流体と接触させる多数の分注が行われた。分注は、９０秒毎に１秒の分注を含んだ。スクリーンがない場合、製品は、約５５０回の分注で侵食された。１／２インチのスクリーン及び０．１５インチのリブは、約６５０回の分注で製品を侵食した。０．１５インチのリブを有する１／４インチのスクリーンは、約７５０回の分注で製品を侵食した。最終的に、０．０８インチのリブを有する１／４インチのスクリーンが、約１０５０回の分注で４０００グラムをわずかに下回る製品を侵食した。
【００５７】
実施例２
（１）スクリーン未使用（２）１／４インチの穴及び０．１５インチのリブを有するスクリーン、及び（３）流体源から距離を提供する１／４インチの穴及び０．１５インチのリブを有するスクリーンを含む変数で、約３５００グラムの製品を侵食及び分注するのに必要な分注の回数を決定するために、製品を流体と接触させて、別の検査を完了させた。再び、９０秒毎に１秒の分注で製品を噴霧した。検査によって、スクリーン未使用で約１４０回の分注、１／４インチの穴を有するスクリーンを使用して約４００回の分注、及び１／４インチの穴及び０．１５インチのリブを有するスクリーンを使用して約７７５回の分注で、約３５００グラムの製品が侵食したことが示された。
【００５８】
本データは、スクリーンの穴サイズと、スクリーンと製品との間の距離との両方が、流体による製品の侵食速度に重大な影響を及ぼし得ることを明確に示す。これは、スクリーンの穴サイズ、形状、数、及び／または流体／液体溶解源からの距離によって水流を調節することとして既知であり得る。
【００５９】
ゆえに、スクリーン構成が、概して、所望の濃度を提供するため、かつ製品の有効期間を最大限にするために、侵食される製品の所望の量を提供する可変性が無限であることが企図される。これによって、経費削減をもたらし、かつデバイス１２の使用に役立てるために効率が最適化される。
【００６０】
またさらに、穴のサイズ及び形状を含むスクリーンの変化、ならびにスクリーンと流体／液体源との間の距離の変化が、本開示で図示及び／または説明された概念のいずれかとともに利用され得ることを理解されたい。例えば、スクリーンが、デバイスの第１または第２の部分のうちの１つと一体型である場合、または別々の部材としてデバイス内に単に位置付けられる場合、スクリーンの構成を変える能力が、溶解する流体と中に保存された製品との間の所望の接触を決定するための柔軟性及び可変性を提供するかは、重要ではない。
【００６１】
本開示は、本明細書に説明する特定の実施形態に限定されない。具体的には、本開示は、本開示の実施形態が固体化学薬剤の収容及び分注を適用し得る方式の種類において多数の変形例を企図する。前述の説明は、図示及び説明の目的で提示されている。包括的な列挙であること、または本開示のいずれもが開示された正確な形式に限定されることは意図されない。考慮される他の代替または例示的態様が本開示に含まれることが想定される。本説明は、本開示の実施形態、工程、または方法の単なる例である。本開示の意図される趣旨及び範囲内にある任意の他の修正、置換、及び／または追加が行われることができることを理解されたい。前述の説明について、意図される少なくとも全てを本開示が達成することが考えられ得る。
【００６２】
加えて、本開示のデバイスが、概して任意の種類及び全ての種類の化学製品とともに利用され得ることを理解されたい。これは、固体製品、ペレット、粉末、顆粒、半固体、液体、及び／またはそれらの何らかの組み合わせを含むがそれだけに限定されない。
【００６３】
前述の詳細な説明は、本開示を実施するための少数の実施形態に関するものであり、範囲を限定するように意図されない。以下の請求項は、本開示の多数の実施形態をより具体的に記載する。
【図１】
2020097451.tif 000003
【図２】
2020097451.tif 000004
【図３】
2020097451.tif 000005
【図４Ａ】
2020097451.tif 000006
【図４Ｂ】
2020097451.tif 000007
【図５】
2020097451.tif 000008
【図６】
2020097451.tif 000009
【図７】
2020097451.tif 000010
【図８】
2020097451.tif 000011
【図９】
2020097451.tif 000012
【図１０】
2020097451.tif 000013
【図１１】
2020097451.tif 000014
【図１２】
2020097451.tif 000015
【図１３】
2020097451.tif 000016
【図１４Ａ】
2020097451.tif 000017
【図１４Ｂ】
2020097451.tif 000018
【図１５】
2020097451.tif 000019
【図１６】
2020097451.tif 000020
【図１７】
2020097451.tif 000021
【図１８】
2020097451.tif 000022
【図１９】
2020097451.tif 000023
【図２０】
2020097451.tif 000024
【図２１】
2020097451.tif 000025
【手続補正書】
【提出日】令和2年2月7日(2020.2.7)
【手続補正１】
【補正対象書類名】明細書
【補正対象項目名】００６３
【補正方法】変更
【補正の内容】
【００６３】
前述の詳細な説明は、本開示を実施するための少数の実施形態に関するものであり、範囲を限定するように意図されない。以下の請求項は、本開示の多数の実施形態をより具体的に記載する。以下の項目［１］〜［４５］に、本発明の実施形態の例を列記する。
［１］
固体化学製品を収容し、かつ前記化学製品を容器から分注するためのデバイスであって、前記デバイスは：
第１の外周の第１の部分を含む側壁を備える第１の部分と；
前記上側部分に結合されている第２の部分であって、前記下側部分は第１の外周を有する第１の部分を有する側壁を備える、第２の部分と；
前記第１及び／または第２の部分内に位置付けられ、かつ前記固体化学製品を支持するように適合されている、支持部材と、を備え、
前記容器内に少なくとも部分的に位置付けられる、デバイス。
［２］
前記第１の部分及び第２の部分のうちの一方または両方は、前記デバイスの軸に向かって内向きに延在し、かつ開口部で終わる傾斜面を含む、項目１に記載のデバイス。
［３］
前記第１の部分は、上側部分であり、前記第２の部分は、前記傾斜面を有する下側部分であり、前記デバイスは：
前記下側部分に関連付けられている一つ又は複数のロック突起部と；
前記上側部分に関連付けられている一つ又は複数のロックタブであって、前記一つ又は複数のロックタブの各々は、前記一つ又は複数のロック突起部のうちの１つに結合して前記上側部分を前記下側部分に固定するように適合されている、ロックタブと、をさらに備える、項目２に記載のデバイス。
［４］
前記下側部分の前記傾斜面に結合され、かつそこから上方に延在する複数の柱受けと；
前記スクリーンに結合され、かつそこから下方に延在する複数の柱であって、前記複数の柱の各々は、前記複数の柱受けのうちの１つの中に着座するように構成される、複数の柱と、をさらに備える、項目２または３に記載のデバイス。
［５］
前記下側部分内に少なくとも部分的に内向きに延在する複数のクラッシュリブをさらに備え、
前記複数のクラッシュリブ及び前記スクリーンは、摩擦嵌合される、項目１〜４のいずれか一項に記載のデバイス。
［６］
前記下側部分の前記側壁の前記第１の外周から内向きに延在し、かつ前記スクリーンと締まりばめを生じるように適合されている、リップをさらに備える、項目１〜５のいずれか一項に記載のデバイス。
［７］
前記上側部分の上面に結合されているハンドルと；
前記下側部分の前記開口部に取り外し可能に結合されているキャップと、をさらに備える、項目１〜６のいずれか一項に記載のデバイス。
［８］
前記上側部分の前記側壁は、円筒であり、前記下側部分の前記側壁は、円筒であり、さらに、前記傾斜面は、円錐台である、項目１〜７のいずれか一項に記載のデバイス。
［９］
前記下側部分の前記開口部に取り外し可能に結合されたフィルムをさらに備え、前記フィルムは接着剤を有する、項目１〜８のいずれか一項に記載のデバイス。
［１０］
製品を収容及び分注するためのデバイスであって、前記デバイスは：
（ａ）外周を有し、かつ前記製品を受けるように適合されている上側開口部、
（ｂ）前記外周前記上側開口部よりも小さい外周を有する下側開口部、及び
（ｃ）前記上側開口部から前記下側開口部に延在する傾斜面、を備える本体と；
前記本体内に配置され、かつ前記製品を支持するように適合されているスクリーンと；
前記本体及び前記製品に合わせて作られ、かつそれらを実質的に包囲する可撓性エンクロージャと、を備える、デバイス。
［１１］
前記本体は、前記本体の前記下側開口部から外向きに延在する管状部材であって、末端開口部を有する、管状部材をさらに備え、
前記可撓性エンクロージャは、前記下側開口部と前記末端開口部との間で終わる、項目１０に記載のデバイス。
［１２］
前記本体は、前記管状部材に結合されているらせんワイヤを含む、項目１０または１１に記載のデバイス。
［１３］
前記可撓性エンクロージャは、
前記本体及び前記製品の側面に合わせて作られている第１の部分と、
前記第１の部分から上方に延在する第２の部分であって、末端が封止された一つ又は複数の端部を有する、第２の部分と、をさらに備え、
前記第２の部分は、前記可撓性エンクロージャの中空領域を備える、項目１０〜１２のいずれか一項に記載のデバイス。
［１４］
前記可撓性エンクロージャの前記第２の部分に関連付けられているハンドルをさらに備える、項目１３に記載のデバイス。
［１５］
前記可撓性エンクロージャは、熱の影響下で収縮性であるポリマーから構築される、項目１０〜１３のいずれか一項に記載のデバイス。
［１６］
前記本体の前記末端開口部に取り外し可能に結合されたフィルムをさらに備え、前記フィルムは接着剤を有する、項目１１に記載のデバイス。
［１７］
溶解可能な化学製品を収容し、かつ前記化学製品を分注するための方法であって、前記方法は：
ハウジング、前記ハウジング内のスクリーン、及び前記ハウジング内の末端開口部を有する容器を提供するステップと；
前記製品を前記スクリーン上に設置するステップと；
前記容器を液体分注システム内に載置するステップであって、前記末端開口部は、前記液体分注システムの噴霧ノズルに近接する、ステップと；
前記溶解可能な化学製品に対して液体を噴霧するステップと；
前記容器から前記液体分注システムに化学溶液を分注するステップと、を含む、方法。
［１８］
第１の組のロック特徴部を前記ハウジング上に提供するステップと；
対応する第２の組のロック特徴部を前記円筒状ハウジング上に提供するステップと；
前記第１の組のロック特徴部及び対応する前記第２の組のロック特徴部を係合させるステップと、をさらに含む、項目１７に記載の方法。
［１９］
前記容器は、前記溶解可能な化学製品及び前記容器の少なくとも一部分を包囲する可撓性エンクロージャをさらに備える、項目１７または１８に記載の方法。
［２０］
可撓性エンクロージャを提供するステップと；
前記ハウジングの一部分及び前記製品を、前記可撓性エンクロージャで包囲するステップと；
前記可撓性エンクロージャを加熱するステップと；
前記可撓性エンクロージャを収縮させるステップと、をさらに含む、項目１７〜１９のいずれか一項に記載の方法。
［２１］
固体化学製品を収容し、かつ前記化学製品を容器から分注するためのデバイスであって、前記デバイスは：
側壁と、フランジとを含む第１の部分であって、前記フランジは、前記第１の部分の外周の周りの少なくとも一部で前記側壁から横方向に延在する、第１の部分と；
側壁と、フランジとを含む第２の部分であって、前記フランジは、前記第２の部分の外周の周りの少なくとも一部で前記側壁から横方向に延在する、第２の部分と、を備え、
前記第１の部分及び第２の部分の前記フランジは、前記フランジの少なくとも一部分の長さの周りで他方に結合され、かつ前記製品の分注のための穴を形成し、
前記固体化学製品は、第１の部分及び第２の部分内で支持部材によって支持され、
前記デバイスは、少なくとも部分的に前記容器内に位置付けられる、デバイス。
［２２］
前記フランジは、他方に封止されている、項目２１に記載のデバイス。
［２３］
前記フランジは、互いに熱封止または溶接されている、項目２２に記載のデバイス。
［２４］
前記第１の部分及び第２の部分は、長手方向に分割された対称的な半分部分である、項目２１に記載のデバイス。
［２５］
前記第１の部分及び第２の部分の各々は、円錐状部分と、前記円錐状部分の端部から延在する傾斜部分とを含む、項目２４に記載のデバイス。
［２６］
前記第１の部分及び第２の部分の各々の前記フランジは、前記傾斜部分の前記端部の半円部分を除いて、前記部分の周囲全体に延在し、各部分の前記半円は、同じ位置で組み合わせられて分注穴を形成する、項目２５に記載のデバイス。
［２７］
固体化学製品を収容し、かつ前記化学製品を容器から分注するためのデバイスであって、前記デバイスは：
第１の外周の第１の部分を含む側壁を備える第１の部分と；
前記上側部分に結合されている第２の部分であって、第１の外周を有する第１の部分を有する側壁を備え、前記第２の部分と一体化されているスクリーンを含む、第２の部分と、を備え、
前記デバイスは、少なくとも部分的に前記容器内に位置付けられる、デバイス。
［２８］
前記第２の部分の前記スクリーンは、複数の穴を備える、項目２７に記載のデバイス。
［２９］
前記スクリーン穴のサイズ及び／または形状は、そこを通過する液体の量を調節するように変更される、項目２８に記載のデバイス。
［３０］
前記第２の部分は、前記スクリーンに略垂直に延在する環状リムを備える、項目２７または２８に記載のデバイス。
［３１］
前記環状リムは、前記デバイスの前記第１の部分の一部分に取り付けるための内部表面を含む、項目３０に記載のデバイス。
［３２］
前記リムの前記内部表面は、ネジ山を備える、項目３１に記載のデバイス。
［３３］
前記リムの前記内部表面は、前記第１の部分に結合するためのスナップビードを備える、項目３１に記載のデバイス。
［３４］
前記リムの前記内部表面は、前記第１の部分と第２の部分との間の結合を封止するための一つ又は複数の封止リングを備える、項目３１に記載のデバイス。
［３５］
前記リムの前記内部表面は、前記第１の部分と第２の部分との間の結合を封止するための一つ又は複数のガスケットを備える、項目３１に記載のデバイス。
［３６］
前記第２の部分は、前記環状リムとは略反対方向に前記スクリーンから離れて延在する環状リブを備える、項目３０に記載のデバイス。
［３７］
前記環状リブの高さは、流体源と前記スクリーンとの間の距離を変化させる、項目３６に記載のデバイス。
［３８］
前記環状リブは、フレア状部分を備える、項目３６に記載のデバイス。
［３９］
前記スクリーンを覆うための、前記第２の部分に動作可能に取り付けられているカバーをさらに備える、項目３８に記載のデバイス。
［４０］
前記カバーは、前記環状リブに動作可能に取り付けられているダストカバーを備える、項目３９に記載のデバイス。
［４１］
前記カバーは、前記フレア状部分に結合するための、前記環状リブの前記フレア状部分より少なくとも部分的に小さい直径の環状リブを含む、項目４０に記載のデバイス。
［４２］
前記カバーは、前記第２の部分に封止可能に結合される、項目３９に記載のデバイス。
［４３］
前記封止可能な結合は、
ａ．熱封止、
ｂ．接着剤、または
ｃ．溶接を含む、項目４２に記載のデバイス。
［４４］
溶解可能な化学製品を収容し、かつ前記化学製品を分注するための方法であって、前記方法は：
ハウジング、前記ハウジング内のスクリーン、及び前記ハウジング内の末端開口部を有する容器を提供するステップと；
前記製品を前記容器内に設置するステップと；
前記溶解可能な化学製品に対して液体を噴霧するステップと；
前記容器から前記液体分注システムに化学溶液を分注するステップと、を含み、
前記スクリーンは、穴の数、サイズ、または形状の変化のうちの少なくとも１つを含む構成を有し、前記変化は、前記スクリーンを通過する前記液体と前記化学製品との相互作用に基づいて所望の化学溶液を得るように選択される、方法。
［４５］
実質的に示され、かつ説明されている、収容デバイス、システム、方法、及び／または装置。
【手続補正２】
【補正対象書類名】特許請求の範囲
【補正対象項目名】全文
【補正方法】変更
【補正の内容】
【特許請求の範囲】
【請求項１】
固体化学製品を収容し、かつ前記化学製品を容器から分注するためのデバイス（１２）であって、前記デバイス（１２）は：
側壁（４２）を備える第１の部分（３０）と；
第２の部分（４０）の環状リム（２０４）を介して前記第１の部分（３０）に結合された、第２の部分（４０）であって、前記第２の部分と一体型である側壁（４２）及びスクリーン（９６／２００）を備える、第２の部分と；
前記第２の部分の開口部（６４／７４）に除去可能に結合されたフィルム（７８）であって、接着剤（８０）を有する、フィルム（７８）と、を備え、
前記第２の部分（４０）の前記スクリーン（９６／２００）は、複数の開口を含み；
前記第２の部分（４０）の前記環状リム（２０４）は、前記スクリーン（９６／２００）に対して実質的に水平に延在する、デバイス。
【外国語明細書】
2020097451000001.pdf